(57)【特許請求の範囲】
【請求項１】
把持バー（９０）の位置をロック及び調整するように構成された把持バーロック装置（２０）であって、
遠位端及び近位端を有する支持板（２２）と、
遠位端が前記支持板（２２）の前記近位端上に枢動可能に取り付けられたレバー部（２３）と、
前記レバー部（２３）の近位端上に移動可能に取り付けられ、把持バー当接部（２１）を備えるカートリッジ（２４）と、
前記カートリッジ上に設けられ、前記レバー部に対して前記カートリッジの位置を調整するように構成された調整手段（２８）と、
を備え、
前記レバー部（２３）は、前記把持バー当接部（２１）が前記把持バー（９０）と係合する係合位置と、前記把持バー当接部（２１）が前記把持バー（９０）から係合解除して前記係合を解除する係合解除位置との間を移動するように構成される、把持バーロック装置。
【請求項２】
前記レバー部（２３）は、摺動部（２３３）を含み、前記カートリッジは前記摺動部上を摺動し、
前記カートリッジは、前記レバー部の前記摺動部に対して前記カートリッジをロックするための締結手段（２７）をさらに備える、
請求項１に記載の把持バーロック装置。
【請求項３】
前記把持バー当接部（２１）は、前記カートリッジ上に枢動可能に取り付けられたローラであり、前記ローラは、前記レバー部の底部の下に配置される、請求項１に記載の把持バーロック装置。
【請求項４】
前記調整手段（２８）は、前記カートリッジに設けられた孔を貫通して前記支持板の前記近位端の側面に設けられたねじ孔の中に延びる調整ボルトである、請求項１に記載の把持バーロック装置。
【請求項５】
前記把持バーは結合レバー（２５）をさらに含み、前記結合レバー（２５）の近位端は前記レバー部（２３）に枢動可能に結合され、前記結合レバー（２５）は作動手段に結合するように構成され、前記作動手段の動作によって、前記結合レバー（２５）は、前記係合位置と前記係合解除位置との間で前記レバー部（２３）を移動させる、請求項１に記載の把持バーロック装置。
【請求項６】
前記レバー部（２３）は、第１の延長部（２３１）及び第２の延長部（２３２）を含み、前記第１の延長部（２３１）は前記支持板（２２）に枢動可能に結合され、前記第２の延長部（２３２）は前記結合レバー（２５）に枢動可能に結合され、凹部が前記第１の延長部と前記第２の延長部との間に形成され、前記支持板（２２）の前記近位端は前記凹部に収容される、請求項５に記載の把持バーロック装置。
【請求項７】
複数のシート処理ステーションと、
シートを把持するための複数の把持バー（９０）を含むコンベア（８０）であって、前記シートはコンベアの移動で前記複数のステーションに移動される、コンベア（８０）と、
前記少なくとも１つのステーションで前記把持バー（９０）のうちの１つをロックするように、前記複数のシート処理ステーションのうちの少なくとも１つに位置決めされた請求項１から６のうちの１つに記載の把持バーロック装置（２０）と、
を含むシート処理装置であって、
前記把持バーロック装置（２０）の前記支持板（２２）は、前記シート処理装置のフレーム（１１）に固定される、シート処理装置。
【請求項８】
前記複数のシート処理ステーションは、プラテンダイ切断ステーション（１００）を含み、前記把持バーロック装置は、前記プラテンダイ切断ステーションのシート給紙側に取り付けられる、請求項７に記載のシート処理装置。
【請求項９】
前記把持バー（９０）の端部は、前記把持バー当接部（２１）と当接するように構成された位置決めブロック（９６）を備える、請求項７に記載のシート処理装置。
【発明の詳細な説明】
【技術分野】
【０００１】
本発明は、シート処理装置に関し、詳細には、シート処理装置に適用される把持バーロック装置に関する。
【背景技術】
【０００２】
公知のシート処理装置は、紙シート又はボール紙などのシート材料を処理するのに適用される。
【０００３】
１つの一般的な共通のシート処理装置は、図１に示すように、プラテンダイ切断ステーション１００を含む複数のステーションを有するホットホイルスタンピング装置である。プラテンダイ切断ステーション１００において、プレス板は、固定されたフラットベッドに対して往復移動するように配置され、プレス板とベッドとの間に配置された加工シートの打ち抜きを実現するようになっている。通常、このようなプラテンダイ切断ステーションは、自動コンベアシステムによって処理シートを搬送するようになっており、これは処理シートを１枚ずつプレス板とベッドとの間に置くことができる。
【０００４】
実際には、自動コンベアシステムは、一連のジョーを梁上に固定することによって形成される複数の把持バー９０を含む。把持バー９０のジョーの前端は、処理シートをクランプしてシートを様々なステーションに引き寄せることができる。把持バー９０の端部は、循環経路を形成するチェーンに結合され、チェーンの循環時に、チェーンに固定された全ての把持バー９０は、チェーンが定めた循環経路に沿ってチェーンと共に種々のステーションに移動する。
【０００５】
把持バー９０は、最初に給紙ステーションにおいて処理すべきシートを受け取る。後続のステーションでの処理時にシートの正確な位置決めを保証して位置ずれを防ぐために、最初に給紙側で把持バー９０の正確な位置決めを保証する必要がある。この目的を達成するために、把持バーロック装置は、プラテンダイカッターの給紙側に設けられ、把持バー位置調整手段は、把持バーロック装置上に設けられる。把持バーがチェーンと共に給紙側に移動して、把持バーロック装置によってロックされた後、把持バー位置調整手段は、給紙方向に把持バーの位置を微調整する。
【０００６】
図２は、既存のシート処理装置に適用される把持バーロック装置２００を示す。把持バーロック装置２００は、支持板２１０及び該支持板２１０に枢動可能に結合されたロック部２２０を含む。
【０００７】
ロック部２２０の一端は、枢動部によって支持板２１０に結合され、その他端は、枢動部によって結合レバー２５０に結合される。次に、結合レバー２５０は、作動手段（図示せず）に結合される。作動手段の駆動により、ロック部２２０は、枢動部の周りのロック位置とロック解除位置との間を移動する。ロック位置において、ロック部２２０に設けられたロッキングローラは、把持バーの位置決め部と当接して把持バーをロックする。支持板２１０は、装置フレーム１１０に移動可能に組み込まれ、調整部材２８０は、フレーム１１０に対する支持板２１０の位置を調整するために、枢動部の反対側の支持板２１０の遠位端に設けられる。
【０００８】
調整部材１１０は、詳細には調整ボルトである。調整ボルトをねじ込むことによって、支持板２１０は、ロック部を駆動し、矢印Ａで示される紙進行方向に沿って往復移動させて把持バーの正確な位置を調整する。
【０００９】
シート処理装置の作動時、特に各処理の開始前に、調整部材１１０は、後続手順の間の商品印刷、積層などの処理精度を保証できるように、給紙側において把持バーの正確な位置を保証するように手動調整する必要がある。
【発明の概要】
【発明が解決しようとする課題】
【００１０】
しかしながら、シート処理装置において、実際には、図２に破線で示すように、保護カバー、把持バー端部のチェーンホイール、結合レバーなどの構成要素は、調整部材１１０が組み込まれる支持板２１０の遠位端の周りに配置されるので、オペレータが調整部材２１０を調整するのは容易でなく、把持バーロック装置２００を微調整するのは困難である。従って、把持バーロック装置は、依然として改良する必要がある。
【課題を解決するための手段】
【００１１】
この課題を解決するために、本発明は、把持バーの位置をロック及び調整するように構成された把持バーロック装置を提供し、把持バーロック装置は、遠位端及び近位端を有する支持板と、遠位端が支持板の近位端上に枢動可能に取り付けられたレバー部と、レバー部の近位端上に移動可能に取り付けられて把持バー当接部を備えるカートリッジと、カートリッジ上に設けられてレバー部に対してカートリッジの位置を調整するように構成された調整手段とを含む。
【００１２】
本発明の態様によれば、レバー部は摺動部を含み、カートリッジは摺動部上を摺動し、カートリッジは、レバー部の摺動部に対してカートリッジをロックするための締結手段をさらに備える。
【００１３】
本発明の別の態様によれば、把持バー当接部は、カートリッジ上に枢動可能に取り付けられたローラであり、ローラは、レバー部の底部の下に配置される。
【００１４】
本発明の別の態様によれば、調整手段は、カートリッジに設けられた孔を貫通して支持板の近位端の側面に設けられたねじ孔の中に延びる調整ボルトである。
【００１５】
本発明の別の態様によれば、レバー部は、把持バー当接部が把持バーと係合する係合位置と、把持バー当接部が把持バーから係合解除して係合を解除する係合解除位置との間を移動するように構成される。
【００１６】
本発明の別の態様によれば、把持バーは結合レバーをさらに含み、結合レバーの近位端はレバー部に枢動可能に結合され、結合レバーは作動手段に結合するように構成され、作動手段の動作によって、結合レバーは、係合位置と係合解除位置との間でレバー部を移動させる。
【００１７】
本発明の別の態様によれば、レバー部は第１の延長部及び第２の延長部を含み、第１の延長部は支持板に枢動可能に結合され、第２の延長部は結合レバーに枢動可能に結合され、凹部は第１の延長部と第２の延長部との間に形成され、支持板の近位端は凹部に収容される。
【００１８】
さらに、本発明は、複数のシート処理ステーションと、コンベアの移動で複数のステーションに移動されるシートを把持するための複数の把持バーを含むコンベアと、少なくとも１つのステーションで把持バーのうちの１つをロックするように、上述の複数のシート処理ステーションのうちの少なくとも１つに位置決めされた把持バーロック装置とを含むシート処理装置を備え、把持バーロック装置の支持板は、シート処理装置のフレームに固定される。
【００１９】
本発明の別の態様によれば、複数のシート処理ステーションはプラテンダイ切断ステーション（１００）を含み、把持バーロック装置は、プラテンダイ切断ステーションのシート給紙側に取り付けられる。
【００２０】
本発明の別の態様によれば、把持バーの端部は、把持バー当接部と当接するように構成された位置決めブロックを備える。
【００２１】
本発明による把持バーロック装置のカートリッジ及び調整手段の位置は、給紙方向に向かっておりオペレータが容易にアクセスすることができ、従って、紙進行方向に沿って把持バーを調整するのに好都合である。
【００２２】
加えて、支持板は、固定及び静止構成要素であり、従って、把持バーロック装置全体の剛性が改善される。一方で、レバー部は、第２の延長部によって結合レバーに結合されるので、レバー部は、支持板及び結合レバーを横切って結合され、レバー部自体の剛性が確保され、それに対応して把持バーロック装置のロック精度が改善される。
【図面の簡単な説明】
【００２３】
【図１】把持バーロック装置を装備するのに適したシート処理装置の概略図である。
【図２】既存の把持バーロック装置を示す。
【図３】本発明の好ましい実施形態による把持バーロック装置の下部斜視図を示す。
【図４】本発明の好ましい実施形態による把持バーロック装置の下部斜視図を示す。
【図５Ａ】把持バーロッキングローラが把持バーと係合する、本発明の好ましい実施形態による把持バーロック装置の部分断面図を示す。
【図５Ｂ】把持バーロッキングローラが把持バーから離れる、本発明の好ましい実施形態による把持バーロック装置の部分断面図を示す。
【発明を実施するための形態】
【００２４】
以下、本発明は、特定の実施形態及び添付の図面と併せて詳細に説明されることになる。より詳細は、本発明の十分な理解のために以下の説明に示されているが、本発明は、本明細書で明白に説明されているものとは異なる多くの他の方式で実施することができる。当業者は、必要に応じて本発明の本質から逸脱することなく類似のプロモーション及び推測を行うことができ、従って、本発明の保護範囲は、これらの特定の実施形態の開示によって制限されない。
【００２５】
本明細書の「近位端」及び「遠位端」は、種々の構成要素の端部を区別するのに用いられ、「遠位端」は、通常オペレータから離れた端部を指し、「近位端」は、通常オペレータに近い端部を指すことに留意されたい。
【００２６】
図１は、本発明による把持バーロック装置と組み合わせるのに適したシート処理装置１０を概略的に示す。シート処理装置１０は、例えば、上流給紙ステーション（図示せず）からボール紙などのシートを取得するプラテンダイ切断ステーション１００を含む複数の処理ステーションを備える。従来、給紙ステーションにおいて、ボール紙は、層ごとにクランピング部材によって広がり、前のボール紙は部分的に後続のボール紙を覆い、コンベアベルトはボール紙をダイカットステーションに給送するために用いられる。
【００２７】
シート処理装置１０は、コンベア装置８０によって紙シートを送給する。プラテンダイ切断ステーションを発端として、コンベア装置８０は、ボール紙を種々の処理ステーションに沿って移動させて一連の処理操作を実施するために搬送する。詳細には、コンベア装置８０は複数の把持バー９０を含む。各把持バー９０は、把持バーロッド上に離間して配置された複数のジョー９２を有する。ロッドの端部は、チェーンに結合したチェーンホイールを備える。チェーン駆動の下で、ジョー９２によってクランプされた紙シートは、複数の処理ステーションの循環経路に沿って進む。
【００２８】
図３及び４に示すように、各処理ステーションにおいて紙シートを正確に位置決めするために、把持バーロック装置２０は、プラテンダイ切断ステーション１００の給紙側に設けられる。把持バーロック装置２０は、給紙側にある１つの把持バーの位置をロックする。把持バー９０の位置がロックされる場合、ジョー９２は、紙進行方向に沿って給紙ステーションから搬送されたシートをクランプし、把持バー９０の初期位置は、紙進行方向に沿って把持バー９０全体の位置を調整することによって正確にロックされる。
【００２９】
図４に示すような本発明の好ましい実施形態によれば、把持バーロッド２０は、支持板２２、レバー部２３、及びカートリッジ２４を含む。支持板２２の遠位端は、フレーム１１上に組み込まれ、これは、シート処理装置１０のフレームの一部とすることができ、装置の固定及び静止部とすることもできる。レバー部２３は、支持板２２の近位側に枢動可能に組み込まれる。詳細には、レバー部２３は、枢動軸によって支持板２２の近位端に組み込まれる。また、カートリッジ２４は、レバー部２３の近位端に組み込まれ、カートリッジ２４は、把持バーの位置を正確に調整するための把持バー当接部及び調整手段２８を備える。
【００３０】
図４から、支持板２２は、一体的に形成された板であり、全体的に湾曲した形状を有し、遠位端はフレーム１１に固定的に結合され、近位端はレバー部２３が枢動可能に組み込まれる給紙側に向いていることが分かる。
【００３１】
本実施形態において、把持バーロック装置２０は、支持板２２に実質的に平行に延びる結合レバー２５をさらに備える。結合レバー２５の遠位端は、装置フレームの一部に枢動可能に結合され、結合レバー２５の近位端は、レバー部２３に枢動可能に結合される。通常、結合レバー２５は、カム機構又はシリンダなどの作動手段（図示せず）にも取り付けられる。作動手段の動作によって、結合レバー２５は、レバー部２３を駆動して枢動させる。一方で、結合レバー２５は止め具を備えることができ、これに対応してレバー部２３の枢動角を制限するようになっている。
【００３２】
レバー部２３が結合レバー２５の駆動により枢動する場合、レバー部２３は支持板２２の周りを枢動し、同様に、結合レバー２５はフレームの周りを枢動する。フレームの周りの結合レバー２５の枢動が停止すると、支持板２２の周りのレバー部２３の枢動はそれに対応して停止される。
【００３３】
レバー部２３は、作動手段（図示せず）の動作の下で係合位置と係合解除位置との間を移動することができる。図５Ａに示すような係合位置において、レバー部２３は、把持バー９０をロックするように、把持バー当接部を把持バー９０の位置決めブロック９６と係合するように移動させ、図５Ｂに示すような係合解除位置では、レバー部２３は、把持バー９０をロック解除するように上向きに枢動し、レバー部２３の枢動角は、真下の把持バー９０の移動が阻止されないことを保証するのに十分なものである。図５Ａ及び５Ｂから把持バー９０の位置決めブロック９６がレバー部２３の真下に配置されることが明らかである。
【００３４】
図４に戻ると、本実施形態において、レバー部２３の遠位端には２つの延長部が設けられている。第１の延長部２３１は、枢動軸によって支持板２２に結合される。第２の延長部２３２は、別の枢動軸によって結合レバー２５に結合される。２つの延長部２３１及び２３２の間には凹部が設けられており、支持板２２の近位端はこの凹部に収容される。
【００３５】
摺動部２３３は、給紙側に向かってレバー部２３の近位端に設けられている。カートリッジ２４は、摺動部２３３上に摺動可能に組み込まれる。本実施形態において、摺動部２３３は、摺動プラットホームの形態である。しかしながら、摺動部の他の形態も実現可能であり、例えば、レバー部の近位端が摺動スロットを形成することを理解できる。
【００３６】
摺動部２３３に対するカートリッジ２４の移動は、締結手段２７によってロックすることができる。本実施形態において、締結手段２７は、２つの反対側に設けられた締結ボルトを含む。カートリッジ２４が摺動部に沿って所定位置に調整される場合、カートリッジ２４の位置は、締結ボルトをしっかりとねじ込むことによってロックすることができる。
【００３７】
調整ボルトなどの調整手段２８は、把持バー９０の位置を微調整するためにカートリッジ２４上に組み込まれる。図５Ａ及び５Ｂから、調整ボルトがカートリッジ２４上に設けられた貫通孔を通過し、次に、レバー部２３の近位端の一方側に設けられたねじ孔２３５に結合されることは明らかである。また、ナットは、カートリッジ２４とレバー部２３との間のボルト上に設けられる。締結手段２７が取り外されると、カートリッジ２４は、調整ボルトをねじ込むことによってレバー部２３の摺動部２３３に沿って移動することができる。図５に示すロック位置では、カートリッジ２４の摺動方向は、紙進行方向Ａと実質的に同じである。
【００３８】
図３は、本発明の好ましい実施形態による把持バーロック装置２０の下部斜視図を示す。図３から把持バー当接部２１がカートリッジ２４によって支持されることが明らかである。
【００３９】
詳細には、カートリッジ２４は、把持バー当接部２１を支持するための当接部支持部２４１を形成する。支持部２４１は、カートリッジ２４により形成され、レバー部２３の真下に延びる。好ましくは、把持バー当接部２１は、ローラの形態にあり、カートリッジ２４の当接部支持部２４１に回転可能に支持される。レバー部２３が図５Ｂに示すようなロック位置に枢動すると、ローラの円周面は、把持バー９０の位置決めブロック９６と当接する。
【００４０】
位置決めブロック９６は、把持バー９０のロッドの端部に設けられ、位置決めブロック９６の近位側は平面を備え、ローラの円周面と当接する。把持バー９０の位置決めブロック９６は、レバー部２３の真下に配置され、レバー部２３の底面と接触することはない。すなわち、ロック位置では、カートリッジ２４上の当接部２１としてのローラは、ただ単に位置決めブロック９６と接触する。
【００４１】
シート処理装置１０がボール紙などのシートの処理を開始する前に、本発明による把持バーロック装置２０は、把持バーの開始位置をロック及び調整する。複数の把持バー９０のうちの１つは、循環経路に沿ったチェーン駆動の下で、プラテンダイ切断ステーション１００の給紙側に移動する。この時点で、把持バーロック装置２０のレバー部２３は、上向きに枢動した後に係合解除位置に留まる。把持バーが所定位置に移動すると、把持バーロック装置２０のレバー部２３は、作動手段の動作の下でロック位置に向かって下向きに枢動し、把持バー当接部２１は、把持バーの位置決めブロック９６と直接接触する。次に、オペレータは、把持バー９０を紙進行方向に沿って正確な位置に微調整するために、カートリッジ２４の調整手段２８を調整する。
【００４２】
調整手段２８の調整時に、把持バー当接部は、位置決めブロック９６の背面に設けられたばね復帰手段により把持バーロック装置２０の位置決めブロック９６と常に接触状態に保持される。
【００４３】
通常、シート処理装置１０において、２つの把持バーロック装置２０は、把持バーロッド９１の両側に配置される。一方側の把持バーロック装置２０は、作動手段に結合されて能動側把持バーロック装置２０として構成される。他方側の把持バーロック装置２０は、横方向結合レバーによって能動側把持バーロック装置２０に結合された受動側把持バーロック装置２０であり、これに対応して移動する。これに対応して、位置決めブロック９６は、把持バー９０の両側に設けられる。ロック状態では、能動側及び受動側の把持バーロック装置２０の両方は、位置決めブロック９６と接触する。
【００４４】
図４に示すように、把持バーロック装置２０は、チェーンホイール９２の内側に、すなわち、把持バーロッド９１の一方側に配置され、ホイールは、把持バーコンベア装置を駆動する。把持バーロック装置２０の支持板２２及び結合レバー２５の遠位端は、破線によって示すように、シート処理装置の他の構成要素によって隠蔽されることになるが、カートリッジ２４及び調整手段２８の位置は、給紙方向に向かっておりオペレータが容易にアクセスすることができ、従って、紙進行方向に沿って把持バーを調整するのに好都合である。
【００４５】
加えて、支持板２２は、固定及び静止構成要素であり、従って、把持バーロック装置２０全体の剛性が改善される。一方で、レバー部２３は、第１の延長部２３１によって支持板２２に結合され、第２の延長部２３２によって結合レバー２５に結合される。従って、レバー部２３は、支持板２２及び結合レバー２５を横切って結合されるので、レバー部２３自体の剛性が確保され、それに対応して把持バーロック装置２０のロック精度が改善される。
【００４６】
把持バーロック装置２０の他の変形形態が存在し得る。例えば、レバー部２３上の摺動部２３３は摺動スロットとして形成することができ、調整手段２８は、ラックなどの並進調整機構を使用する。
【００４７】
加えて、把持バー当接部２１は、例えば、カートリッジ２４の延長部２４１上に一体的に形成された摺動面である、他の形態とすることもできる。
【００４８】
本発明による把持バーロック装置２０に適したシート処理装置は、ホットホイルスタンピング装置とすることができ、把持バーロック装置２０は、この装置のプラテンダイ切断ステーション１００の給紙側に組み込まれる。しかしながら、本発明による把持バーロック装置２０は、把持バー機構を含む他のシート処理装置に適用すること、及び把持バーの位置を調整する必要がある何らかのステーションは、必要に応じて、本発明による把持バーロック装置２０を配置することができることを理解されたい。
【００４９】
本発明は、好ましい実施形態に関して上記のように開示されているが、本発明はそれに限定されず、当業者は、本発明の精神及び範囲から逸脱することなく可能性のある変形及び修正を行うことができる。従って、本発明の技術的解決策の開示から逸脱することなく本発明の技術的本質による上記実施形態に対して行われた何らかの修正、同等の変更、及び変形は、本発明の特許請求の範囲によって定められる保護範囲に全て包含される。
【符号の説明】
【００５０】
２０  把持バーロック装置
２１  把持バー当接部
２４  カートリッジ
２７  締結手段
２８  調整手段
９０  把持バー
９１  把持バーロッド
９２  ジョー
９６  位置決めブロック
２４１  支持部
【図１】
0006827128.tif 000002
【図２】
0006827128.tif 000003
【図３】
0006827128.tif 000004
【図４】
0006827128.tif 000005
【図５Ａ】
0006827128.tif 000006
【図５Ｂ】
0006827128.tif 000007